【事件の表示】
　特願２０１４−１６１９８７「パチンコ遊技機」拒絶査定不服審判事件〔平成２６年１２月１１日出願公開、特開２０１４−２３０８９９〕について、次のとおり審決する。
【結　論】
　本件審判の請求は、成り立たない。
【理　由】
第１　手続の経緯
　本願は、平成２１年８月２６日に出願された特願２００９−１９５５９６号の一部を平成２６年８月８日に新たに特許出願したものであって、平成２７年７月２８日付けで拒絶理由通知がなされ、これに対して同年９月２５日に意見書及び手続補正書が提出され、平成２８年３月１８日付けで最後の拒絶理由通知がされ、これに対して同年５月９日付けで意見書及び手続補正書が提出されたが、同年１１月４日付け（発送日：同年１１月２２日）で同年５月９日付けの手続補正が却下されるとともに拒絶査定がなされ、これに対して、平成２９年１月１８日付けで拒絶査定不服審判の請求がなされると同時に手続補正書が提出されたものである。
第２　平成２９年１月１８日付け手続補正についての補正却下の決定
［補正の却下の決定の結論］
　平成２９年１月１８日付け手続補正（以下、「本件補正」という。）を却下する。
［理由］
１．本件補正の概要
　本件補正は、特許請求の範囲の請求項１の記載の補正を含む補正であり、本件補正前の平成２７年９月２５日付けの手続補正書における請求項１の記載と、本件補正後の特許請求の範囲の請求項１の記載は、それぞれ、次のとおりである（下線部は、補正箇所を示す。）。
（補正前：平成２７年９月２５日付け手続補正）
「【請求項１】
　遊技球の入賞により、第１特別図柄の変動表示を開始させる権利を発生させる第１始動口と、
　遊技球の入賞により、第２特別図柄の変動表示を開始させる権利を発生させる第２始動口と、
　前記第１特別図柄及び前記第２特別図柄が表示される図柄表示装置を有するパチンコ遊技機であって、
　前記図柄表示装置は、連続する３つ以上のＬＥＤの単体を並列させて配置し、前記第１特別図柄と前記第２特別図柄の表示部としたものであることを特徴とするパチンコ遊技機。」
（補正後：平成２９年１月１８日付け手続補正）
「【請求項１】
Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ　前記図柄表示装置は、
遊技領域形成部材であるレールの外側に配置されるとともに、
列状に
当たり価値の異なる複数の種別をそれぞれ異なる組み合わせ態様で表示可能な
（下線部は補正箇所を示す。Ａ〜Ｄは本願補正発明を分説するために当審で付した。）。
２．補正の適否
（１）本件補正
　本件補正は、特許請求の範囲の記載について、以下の補正事項を含むものである。
　本件補正前の請求項１における「前記図柄表示装置は、連続する３つ以上のＬＥＤの単体を並列させて配置し、前記第１特別図柄と前記第２特別図柄の表示部としたものである」という記載を、本件補正後の請求項１において「前記図柄表示装置は、
遊技領域形成部材であるレールの外側に配置されるとともに、
列状に
当たり価値の異なる複数の種別をそれぞれ異なる組み合わせ態様で表示可能な
（２）補正の目的等についての検討
　上記補正事項は、「図柄表示装置」について、「遊技領域形成部材であるレールの外側に配置される」ものに限定し、本件補正前の請求項１における「連続する３つ以上のＬＥＤの単体を並列させて配置し、」という記載を、実質的に意味の変わらない、本件補正後の請求項１における「連続する３つ以上のＬＥＤの単体を
列状に
当たり価値の異なる複数の種別をそれぞれ異なる組み合わせ態様で表示可能な
　そして、本件補正は新規事項を追加するものではない。
３．独立特許要件について
　本件補正後の請求項１に記載された発明(以下「本願補正発明」という。)が、特許出願の際独立して特許を受けることができるものであるか（特許法第１７条の２第６項において準用する同法第１２６条第７項の規定に適合するか）について以下に検討する。
（１）本件補正後の請求項１に係る発明
　補正後の請求項１に係る発明（以下、「本願補正発明」という。）は、上記「１．本件補正の概要」に本件補正後の請求項１として記載したとおりのものである。
（２）刊行物に記載された事項
（２−１）刊行物１
　原査定の拒絶の理由（平成２８年３月１８日付け拒絶理由通知）に引用文献２として引用された特開２００８−２１２３５５号公報（以下「刊行物１」という。）には、図面と共に以下の事項が記載されている（下線は当審で付した。以下同じ。）。
（１−ア）「【００２７】
　図１及び図２に示すように、第１実施形態に係る遊技機である
パチンコ機（遊技機）１０
には、
内枠１４
が設けられている。
（１−イ）「【００３４】
　また、内枠１４には、遊技領域２８（図３参照）の形状に合致した開口部（図示省略）が形成されている。この
内枠１４
には、遊技盤２６
が取り付けられる。
遊技盤２６の遊技領域２８
（１−ウ）「【００３９】
　ここで、本実施形態のパチンコ機１０では、例えば、
大当りとして２種類のものが
設定されている。具体的には、
確変大当りがある。また、
通常大当りがある。
（１−エ）「【００６３】
　また、図３に示すように、
遊技領域２８上
には、始動入賞装置６０が配置されている。始動入賞装置６０には、
２つの始動口６０Ａ、６０Ｂが
設けられた構成となっている。
遊技球が各始動口６０Ａ、６０Ｂのいずれか一方に入賞すると、特別図柄（大当り）の抽選処理が開始されるとともに、特別図柄表示ＬＥＤ１４８
において特別図柄の変動表示が開始される
（１−オ）「【００６７】
　また、
遊技領域２８上
には、
ＬＥＤ表示基板（図柄表示装置）６６が配置されている。このＬＥＤ表示基板６６は、特別図柄
を表示する複数の特別図柄表示ＬＥＤ１４８
を備えている。
【００６８】
　各普通図柄保留表示ＬＥＤ１５０及び各特別図柄保留表示ＬＥＤ１５２は、丸形の赤色ＬＥＤで構成されており、特別図柄表示ＬＥＤ１４８に近接して配置されている。普通図柄保留表示ＬＥＤ１５０は、普通図柄作動ゲート６４を通過した遊技球の数を普通図柄の保留とし、通過ごとに順次点灯しシフト表示するものである。また、特別図柄保留表示ＬＥＤ１５２は、始動口６０Ａ、６０Ｂに入球した遊技球の数も特別図柄の保留とし、入球ごとに順次点灯しシフト表示するものである。特別図柄表示ＬＥＤ１４８の変動表示が開始するたびに、未始動回数が消化され、１個の特別図柄保留表示ＬＥＤ１５２は消灯される。また、普通図柄も普通図柄表示ＬＥＤ１５４の変動表示が開始するたびに、未始動回数が消化され、１個の普通図柄保留表示ＬＥＤ１５０が消灯される。そして、
特別図柄表示ＬＥＤ１４８に
大当り図柄が停止表示されると大当りが発生し
特別図柄表示ＬＥＤ１４８にて表示される特別図柄
は
抽選結果
を示すものである。
（１−カ）上記（１−オ）の段落【００６７】には、「複数の特別図柄表示ＬＥＤ１４８」と記載されているから、図３において符号「１４８」で示された箇所には、複数の特別図柄表示ＬＥＤ１４８が図示されているといえる。
　そして、図３の図示内容から、符号「１４８」で示された箇所には、右下に向かって連続する５つの「○」で記載された部材が列状に配置されていることがみてとれる。
　よって、図３には、
連続する５つの特別図柄表示ＬＥＤ１４８が列状に配置されている
　上記（１−ア）〜（１−オ）の記載事項、上記（１−カ）で認定される図示内容により、以下の事項が導かれる。
（１−キ）上記（１−エ）の段落【００６３】には、「遊技球が各始動口６０Ａ、６０Ｂのいずれか一方に入賞すると、特別図柄・・・の抽選処理が開始されるとともに、特別図柄表示ＬＥＤ１４８・・・において特別図柄の変動表示が開始される」と記載され、上記（１−オ）の段落【００６８】には、「特別図柄表示ＬＥＤ１４８にて表示される特別図柄・・・は、・・・抽選結果・・・を示すものである。」と記載されているから、
始動口６０Ａへの遊技球の入賞により、抽選処理及び当該抽選処理の抽選結果を示す特別図柄の変動表示が開始され、始動口６０Ｂへの遊技球の入賞により、抽選処理及び抽選結果を示す特別図柄の変動表示が開始される
　また、上記（１−エ）の段落【００６３】には、「遊技領域２８上・・・には、始動入賞装置６０が配置されている。始動入賞装置６０には、・・・始動口６０Ａ、６０Ｂが・・・設けられた構成となっている。」と記載されているから、
始動口６０Ａ及び始動口６０Ｂは、遊技領域２８上に設けられている
　そして、上記（１−イ）の【００３４】の「内枠１４・・・には、遊技盤２６・・・が取り付けられる。・・・遊技盤２６の遊技領域２８」という記載により、
遊技領域２８は、
内枠１４に設けられている
内枠１４は、パチンコ機１０に設けられている
遊技領域２８がパチンコ機１０に設けられている
　したがって、
始動口６０Ａ及び始動口Ｂは、パチンコ機１０に設けられている
　よって、刊行物１には、
　
パチンコ機１０が、
　
遊技球の入賞により、抽選処理及び当該抽選処理の抽選結果を示す特別図柄の変動表示が開始される始動口６０Ａと、
　
遊技球の入賞により、抽選処理及び当該抽選処理の抽選結果を示す特別図柄の変動表示が開始される始動口６０Ｂと、を有すること
（１−ク）上記（１−エ）の段落【００６３】には、「遊技球が各始動口６０Ａ、６０Ｂのいずれか一方に入賞すると、特別図柄・・・の抽選処理が開始される」と記載され、上記（１−オ）の段落【００６８】には、「特別図柄表示ＬＥＤ１４８にて表示される特別図柄・・・は、・・・抽選結果・・・を示すものである。」と記載されているから、
特別図柄表示ＬＥＤ１４８は、始動口６０Ａまたは始動口６０Ｂへの遊技球の入賞により開始される抽選処理の抽選結果を示す特別図柄を表示する
　また、上記（１−オ）の段落【００６７】には、「遊技領域２８上・・・には、・・・ＬＥＤ表示基板（図柄表示装置）６６が配置されている。このＬＥＤ表示基板６６は、特別図柄・・・を表示する・・・特別図柄表示ＬＥＤ１４８・・・を備えている。」と記載されているから、
図柄表示装置である特別図柄表示ＬＥＤ１４８は、遊技領域２８上に配置されたＬＥＤ表示基板６６に配置されている
　したがって、
遊技領域２８上に配置された図柄表示装置であるＬＥＤ表示基板６６は、特別図柄表示ＬＥＤ１４８に、始動口６０Ａへの遊技球の入賞により開始される抽選処理の抽選結果を示す特別図柄と、始動口６０Ｂへの遊技球の入賞により開始される抽選処理の抽選結果を示す特別図柄とを表示する
　そして、上記（１−イ）の段落【００３４】の「内枠１４・・・には、遊技盤２６・・・が取り付けられる。・・・遊技盤２６の遊技領域２８」という記載により、
遊技領域２８は、
内枠１４に設けられている
内枠１４はパチンコ機１０に設けられている
遊技領域２８がパチンコ機１０に設けられている
　したがって、遊技領域２８上に配置された
ＬＥＤ表示基板６６は、パチンコ機１０に設けられている
　よって、刊行物１には、
パチンコ機１０が、始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有する
（１−ケ）上記（１−オ）の段落【００６７】には、「ＬＥＤ表示基板（図柄表示装置）６６・・・ＬＥＤ表示基板６６は、特別図柄・・・を表示する複数の特別図柄表示ＬＥＤ１４８・・・を備えている。」と記載されているから、ＬＥＤ表示基板６６は、特別図柄を表示する複数の特別図柄表示ＬＥＤ１４８を備えた図柄表示装置であるといえる。また、上記（１−カ）により図３には、連続する５つの特別図柄表示ＬＥＤ１４８が列状に配置されていることが図示されている。
　したがって、
ＬＥＤ表示基板６６は、特別図柄を表示する連続する５つの特別図柄表示ＬＥＤ１４８を列状に配置した図柄表示装置である
　また、上記（１−エ）の段落【００６３】には、「特別図柄（大当り）の抽選」と記載され、上記（１−オ）の段落【００６８】には、「特別図柄表示ＬＥＤ１４８に・・・大当り図柄が停止表示されると大当りが発生し・・・特別図柄表示ＬＥＤ１４８にて表示される特別図柄・・・は、・・・抽選結果・・・を示すものである。」と記載され、上記（１−ウ）の【００３９】には、「大当りとして２種類のものが・・・設定されている。具体的には、・・・確変大当りがある。また、・・・通常大当りがある。」と記載されているから、
特別図柄表示ＬＥＤ１４８は、大当りの抽選結果として、確変大当りと通常大当りとの２種類を大当り図柄で停止表示するものである
　したがって、
ＬＥＤ表示基板６６は、特別図柄を表示する連続する５つの特別図柄表示ＬＥＤ１４８を列状に配置し、確変大当りと通常大当りとの２種類を大当り図柄で停止表示する図柄表示装置である
　そして、上記認定事項（１−キ）により、
特別図柄は、始動口６０Ａまたは始動口６０Ｂへの遊技球の入賞により開始される抽選結果を示すものである
　よって、刊行物１には、
ＬＥＤ表示基板６６は、特別図柄を表示する連続する５つの特別図柄表示ＬＥＤ１４８を列状に配置し、特別図柄は確変大当りと通常大当りとの２種類の大当りの抽選結果を大当り図柄で停止表示し、始動口６０Ａまたは始動口６０Ｂへの遊技球の入賞により開始される抽選結果を示す
　上記（１−ア）〜（１−オ）の記載事項、上記（１−カ）で認定された図示内容、及び（１−キ）〜（１−ケ）の認定事項により、刊行物１には、次の発明が記載されていると認められる（以下、「刊行物１発明」という。）。
「ａ　遊技球の入賞により、抽選処理及び当該抽選処理の抽選結果を示す特別図柄の変動表示が開始される始動口６０Ａと（上記（１−キ））、
ｂ　遊技球の入賞により、抽選処理及び当該抽選処理の抽選結果を示す特別図柄の変動表示が開始される始動口６０Ｂと（上記（１−キ））、
ｃ　始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有するパチンコ機１０であって（上記（１−ク））、
ｄ　ＬＥＤ表示基板６６は、特別図柄を表示する連続する５つの特別図柄表示ＬＥＤ１４８を列状に配置し、特別図柄は確変大当りと通常大当りとの２種類の大当りの抽選結果を大当り図柄で停止表示し、始動口６０Ａまたは始動口６０Ｂへの遊技球の入賞により開始される抽選結果を示す、パチンコ機１０（上記（１−ケ））。」
（２−２）刊行物２
　平成２８年１１月４日付け補正の却下の決定に引用文献５として引用された特開２００８−１４８７３１号公報（以下「刊行物２」という。）には、図面と共に以下の事項が記載されている（下線は当審で付した。以下同じ。）。
（２−ア）「【００１０】
　以下、本発明の実施形態を示す一実施例について図面を用いて説明する。本発明の遊技機を
パチンコ遊技機（以下、単に遊技機という）
【００１１】
　図１は、本実施例の遊技機１の正面図である。図１に示すように、
遊技機１
は、
遊技盤２０
を備えている。
（２−イ）「【００１９】
　図２に示すように、遊技盤２０には、遊技盤２０の表面に設けられた外レール２２と内レール２３とにより略円形状の遊技領域２１が形成されている。
遊技領域２１内には、
第２装飾部材６０
が配設されている。
【００２０】
　中央装置２４は遊技領域２１の略中央部に配置され、図柄表示装置２５が設けられている。大入賞装置３３は遊技領域２１における中央装置２４の下方に配置されている。第１装飾部材５０は遊技領域２１における大入賞装置３３の左側に配置され、第２装飾部材６０は遊技領域２１における大入賞装置３３の右側に配置されており、装飾部材５０、６０はいわゆるサイド飾りを構成している。また、第１装飾部材５０には、普通図柄表示装置５６（図３（ａ）参照）と左入賞口３４、３５がユニット化されており、
第２装飾部材６０には、２つの特別図柄表示装置６１、６２
ユニット化されている。
（２−ウ）「【００３３】
　
第１特別図柄表示部６１と第２特別図柄表示部６２は、
７個のＬＥＤから構成されており、これらのＬＥＤにより第１本図柄と第２本図柄が表示される。
特別図柄表示部６１、６２を構成する各ＬＥＤは、点灯および消灯が可能となっており、これら各ＬＥＤの点灯および消灯の組合せにより本図柄の複数の表示態様を表示できる。
【００３４】
　
図４は、特別図柄表示部６１、６２による特別図柄（本図柄）の表示態様を示しており、
図４（ｂ）、（ｃ）に示す当り図柄の組合せには、通常大当りを発生させる通常大当り図柄（図４（ｂ））と、確変大当りを発生させる確変大当り図柄（図４（ｃ））がある。
（２−エ）図４（ｂ）及び図４（ｃ）から、図４（ｂ）の
通常大当たり図柄と、
確変大当り図柄とで、特別図柄表示部のパターンが異なる
　また、上記（２−ウ）の段落【００３３】には、「第１特別図柄表示部６１と第２特別図柄表示部６２は・・・７個のＬＥＤから構成されており、これらのＬＥＤにより第１本図柄と第２本図柄が表示される。・・・特別図柄表示部６１、６２を構成する各ＬＥＤは、点灯および消灯が可能となっており、これら各ＬＥＤの点灯および消灯の組合せにより本図柄の複数の表示態様を表示できる。」と記載され、上記（２−ウ）の段落【００３４】には、「図４は、特別図柄表示部６１、６２による特別図柄（本図柄）の表示態様を示しており、・・・図４（ｂ）、（ｃ）に示す当り図柄の組合せには、通常大当りを発生させる通常大当り図柄（図４（ｂ））と、確変大当りを発生させる確変大当り図柄（図４（ｃ））がある。」と記載されている。
　したがって、
図４（ｂ）及び図４（ｃ）に示された特別図柄表示部のパターンは、第１特別図柄表示部６１と第２特別図柄表示部６２を構成する複数のＬＥＤにより、通常大当り及び確変大当りを、それぞれ異なる点灯及び消灯の組み合わせで表示した、通常大当り図柄及び確変大当り図柄である
　よって、図４（ｂ）及び図４（ｃ）には、
第１特別図柄表示部６１及び第２特別図柄表示部６２が、複数のＬＥＤから構成され、通常大当り及び確変大当りを、各ＬＥＤのそれぞれ異なる点灯及び消灯の組み合わせによる、通常大当り図柄及び確変大当り図柄で表示する
　上記（２−ア）〜（２−ウ）の記載事項及び上記（２−エ）で認定される図示内容より、以下の事項が導かれる。
（２−オ）上記（２−イ）の段落【００２０】には「第２装飾部材６０には、２つの特別図柄表示装置６１、６２・・・ユニット化されている。」と記載されているから、
特別図柄表示装置６１、６２は、第２装飾部材６０に設けられている
　そして、上記（２−ア）の段落【００１１】には、「遊技機１・・・は、・・・遊技盤２０・・・を備えている。」と記載され、上記（２−イ）の段落【００１９】には、「遊技領域２１内には、・・・第２装飾部材６０・・・が配設されている。」と記載されているから、
第２装飾部材６０は遊技機１の備える遊技盤に設けられている
　したがって、
遊技機１が特別図柄表示装置６１、６２を有する
　そして、上記（２−ア）の段落【００１０】には「パチンコ遊技機（以下、単に遊技機という）」と記載されているから、段落【００１１】の記載における「遊技機」は「パチンコ遊技機」のことであるといえる。
　よって、刊行物２には、
特別図柄表示装置６１、６２がパチンコ機に設けられている
（２−カ）上記（２−エ）により、
第１特別図柄表示部６１及び第２特別図柄表示部６２は、複数のＬＥＤから構成され、通常大当り及び確変大当りを、各ＬＥＤのそれぞれ異なる点灯及び消灯の組み合わせによる、通常大当り図柄及び確変大当り図柄で表示する
　また、上記認定事項（２−オ）により、
特別図柄表示装置６１、６２はパチンコ機に設けられている
　よって、刊行物２には、パチンコ機に設けられた
第１特別図柄表示部６１及び第２特別図柄表示部６２は、複数のＬＥＤから構成され、通常大当り及び確変大当りを、各ＬＥＤのそれぞれ異なる点灯及び消灯の組み合わせによる、通常大当り図柄及び確変大当り図柄で表示するものである
　上記（２−ア）〜（２−ウ）の記載事項及び上記（２−エ）で認定される図示内容、及び上記認定事項（２−オ）、（２−カ）により、刊行物２には、以下の発明（以下、「刊行物２に記載された技術的事項」という。）が記載されていると認められる。
「複数のＬＥＤから構成され、通常大当り及び確変大当りを、各ＬＥＤのそれぞれ異なる点灯及び消灯の組み合わせによる、通常大当り図柄及び確変大当り図柄で表示する、第１特別図柄表示部６１及び第２特別図柄表示部６２を有する、パチンコ機。」
（３）対比
　本願補正発明と刊行物１発明とを対比する。なお、刊行物１発明の構成ａ〜ｄに対応して見出し（ａ）〜（ｄ）を付した。
　
（ａ）刊行物１発明の、「始動口６０Ａ」への「遊技球の入賞により」「変動表示が開始される」「特別図柄」は、本願補正発明の「第１特別図柄」に相当する。
　よって、刊行物１発明の「遊技球の入賞により、抽選処理及び当該抽選処理の抽選結果を示す特別図柄の変動表示が開始される始動口６０Ａ」は、本願補正発明の「遊技球の入賞により、第１特別図柄の変動表示を開始させる権利を発生させる第１始動口」に相当する。
（ｂ）刊行物１発明の、「始動口６０Ｂ」への「遊技球の入賞により」「変動表示が開始される」「特別図柄」は、本願補正発明の「第２特別図柄」に相当する。
　よって、刊行物１発明の「遊技球の入賞により、抽選処理及び当該抽選処理の抽選結果を示す特別図柄の変動表示が開始される始動口６０Ｂ」は、本願補正発明の「遊技球の入賞により、第２特別図柄の変動表示を開始させる権利を発生させる第２始動口」に相当する。
（ｃ）上記（ａ）で検討したように、刊行物１発明の「始動口６０Ａ」は、本願補正発明の「第１始動口」に相当する。また、上記（ｂ）で検討したように、刊行物１の「始動口６０Ｂ」は、本願補正発明の「第２始動口」に相当する。
　そして、刊行物１発明の「始動口６０Ａへの遊技球の入賞により開始される抽選処理の抽選結果を示す特別図柄」、「始動口６０Ｂへの遊技球の入賞により開始される抽選処理の抽選結果を示す特別図柄」、「図柄表示装置であるＬＥＤ表示基板６６」及び「パチンコ機１０」は、それぞれ、本願補正発明の「前記第１特別図柄」、「前記第２特別図柄」、「図柄表示装置」及び「パチンコ遊技機」に相当する。
　よって、刊行物１発明の「始動口６０Ａへの遊技球の入賞により開始される抽選処理の抽選結果を示す特別図柄と、始動口６０Ｂへの遊技球の入賞により開始される抽選処理の抽選結果を示す特別図柄とを特別図柄表示ＬＥＤ１４８に表示する図柄表示装置であるＬＥＤ表示基板６６を有するパチンコ機１０」は、本願補正発明の「前記第１特別図柄及び前記第２特別図柄が表示される図柄表示装置を有するパチンコ遊技機」に相当する。
（ｄ）刊行物１発明の「特別図柄表示ＬＥＤ１４８」は、その１つが、本願補正発明の「ＬＥＤの単体」に相当するから、刊行物１発明の「連続する５つの特別図柄表示ＬＥＤ１４８を列状に配置し」たことは、本願補正発明の「連続する３つ以上のＬＥＤの単体を列状に配置し」たことに相当する。
　また、確変大当りと通常大当りの当りの価値が異なることは、パチンコ機の技術分野における技術常識であるから、刊行物１発明の「確変大当りと通常大当りとの２種類」は、本願補正発明の「当たり価値の異なる複数の種別」の「当たり」に相当し、刊行物１発明の「大当り図柄」は、本願補正発明の所定の「態様」に相当する。これらのことから、刊行物１発明の「確変大当りと通常大当りとの２種類の大当りの抽選結果を大当り図柄で停止表示する」ことは、本願補正発明と、「当たり価値の異なる複数の種別を」、所定の「態様で表示可能な」点で共通する。
　そして、刊行物１発明の「始動口６０Ａまたは始動口６０Ｂへの遊技球の入賞により開始される抽選結果を示す」「特別図柄」は、本願補正発明の「前記第１特別図柄と前記第２特別図柄」に相当するから、刊行物１発明の「始動口６０Ａまたは始動口６０Ｂへの遊技球の入賞により開始される抽選結果を示す」「特別図柄を表示する」「特別図柄表示ＬＥＤ１４８」は、本願補正発明の「前記第１特別図柄と前記第２特別図柄の表示部」に相当する。
　また、上記（ｃ）で検討したように、刊行物１発明の「パチンコ機１０」は、本願補正発明の「パチンコ遊技機」に相当する。
　よって、刊行物１発明の「ＬＥＤ表示基板６６は、特別図柄を表示する連続する５つの特別図柄表示ＬＥＤ１４８を列状に配置し、特別図柄は確変大当りと通常大当りとの２種類の大当りの抽選結果を大当り図柄で停止表示し、始動口６０Ａまたは始動口６０Ｂへの遊技球の入賞により開始される抽選結果を示す、パチンコ機１０」は、本願補正発明と、「前記図柄表示装置は、」「連続する３つ以上のＬＥＤの単体を列状に配置し、当たり価値の異なる複数の種別を」所定の「態様で表示可能な前記第１特別図柄と前記第２特別図柄の表示部とした」「パチンコ遊技機」で共通する。
　以上のことから、本願補正発明と刊行物１発明との間には、次の一致点、相違点があるといえる。
［一致点］
「Ａ　遊技球の入賞により、第１特別図柄の変動表示を開始させる権利を発生させる第１始動口と、
Ｂ　遊技球の入賞により、第２特別図柄の変動表示を開始させる権利を発生させる第２始動口と、
Ｃ　前記第１特別図柄及び前記第２特別図柄が表示される図柄表示装置を有するパチンコ遊技機であって、
Ｄ’　前記図柄表示装置は、連続する３つ以上のＬＥＤの単体を列状に配置し、当たり価値の異なる複数の種別を所定の態様で表示可能な前記第１特別図柄と前記第２特別図柄の表示部としたパチンコ遊技機。」
［相違点］
（相違点１）（構成Ｄに関して）
　「図柄表示装置」に関して、本願補正発明は、「遊技領域形成部材であるレールの外側に配置される」のに対して、刊行物１発明は、そのような構成を有しない点。
（相違点２）（構成Ｄに関して）
　「図柄表示装置」「で表示可能な」「当り価値の異なる複数の種別」の「態様」に関して、本願補正発明は、「それぞれ異なる組み合わせ態様で表示可能」であるのに対して、刊行物１発明は、そのような構成を有するかが不明である点。
（４）判断
ア　相違点１についての判断
　上記相違点１について検討する。パチンコ機の技術分野において、特別図柄が表示される図柄表示装置を、遊技領域形成部材であるレールの外側に配置することは、周知技術である（例えば、特開２００６−３３０号公報の段落【０００６】及び図１に記載された、特別図柄用可変表示装置１１０が遊技盤面１０３ａより上方（レールの外側）に配置されている点、特開２００８−２２８８６７号公報の段落【０２６４】、【０２７４】〜【０２７５】、【０２７９】〜【０２８０】及び図１１５、１１７に記載された、上特別図柄表示器１４８０及び下特別図柄表示器１４９０が、アウト口誘導通路１２００ａの外側の非遊技領域に設けられた機能表示飾り枠２５１ｃの機能表示ユニット１２２５に配置されている点、「ＭＥＧＡ　ＳＥＬＥＣＴＩＯＮ　潜確７セグ＆ランプ判別攻略」，パチンコ攻略マガジン１０．１１号，株式会社双葉社，２００８年９月１２日（特許庁受入日），ｐ．８４−８６における、ｐ．８４中央に図示された、「ＣＲぱちんこ必殺仕事人ＩＩＩ　桜バージョン」という機種における抽選結果を表示する「ヘソ入賞対応セグ」及び「電チュー入賞対応セグ」が、遊技領域を形成するレールの外側に配置されている点、同文献のｐ．８５中央に図示された、「ＣＲぱちんこアバンギャルド」という機種のパチンコ機における「ヘソ入賞対応セグ」及び「電チュー入賞対応セグ」が、レールの外側に配置されている点、同文献のｐ．８６上部に図示された、「ＣＲぱちんこ冬のソナタ２」という機種のパチンコ機における「ヘソ入賞対応セグ」及び「電チュー入賞対応セグ」が、レールの外側に配置されている点について参照されたい。）。
　そして、刊行物１発明において、ＬＥＤ表示基板６６をいずれの位置に配置するかは、当業者が適宜選択し得ることである。
　よって、刊行物１発明における特別図柄の図柄表示装置であるＬＥＤ表示基板６６を、上記周知技術に基づいて遊技領域形成部材であるレールの外側に配置することによって、相違点１に係る本願補正発明の構成とすることは、当業者が適宜なし得ることである。
イ　相違点２についての判断
　上記相違点２について検討する。上記（２）（２−２）で検討したように、刊行物２には、「複数のＬＥＤから構成され、通常大当り及び確変大当りを、各ＬＥＤのそれぞれ異なる点灯及び消灯の組み合わせによる、通常大当り図柄及び確変大当り図柄で表示する、第１特別図柄表示部６１及び第２特別図柄表示部６２を有する、パチンコ機」について記載されている。
　そして、刊行物１発明と刊行物２に記載された技術的事項とは、共に、パチンコ機において、複数のＬＥＤを有する特別図柄の表示部により、確変大当り及び通常大当りといった、当たり価値の異なる複数の種別の当たりを表示する技術分野に属するものである。
　よって、刊行物１発明のＬＥＤ表示基板６６による、確変大当り及び通常大当りの表示態様として、刊行物２に記載された技術的事項を適用し、上記相違点２に係る本願補正発明の構成とすることは、当業者が容易になし得ることである。
　そして、本願補正発明の作用効果も、刊行物１発明、刊行物２に記載された技術的事項、及び上記周知技術から当業者が予測できる範囲のものである。
　よって、本願補正発明は、刊行物１発明、刊行物２に記載された技術的事項、及び上記周知技術に基づいて、当業者が容易に発明をすることができたものである。
（５）請求人の主張について
　請求人は、審判請求書第５頁第１１行〜第６頁第１２行において、
「拒絶理由通知書において提示された引用文献１−３の何れにも、本願の「当たり価値の異なる複数の種別をそれぞれ異なる組み合わせ態様で表示」する「図柄表示装置」を「遊技領域形成部材であるレールの外側に配置」する構成に言及する記述はない。・・・引用文献４が示唆するのは、液晶表示器と「ひとつながり」となる位置に特別図柄表示器を配置するのであれば必ずしも遊技領域内でなくてもよいという意味であり、遊技領域を画成するレールの外側に、しかも液晶表示器から孤立して特別図柄表示器を配置するという意味にまで拡張して解釈すべきではない。
　また、引用文献４の発明の目的は、遊技者の目を液晶表示器が表示する演出情報よりもむしろ図柄表示器が表示する特別図柄にも注視させることであり（段落〔０００３〕、〔０００５〕、〔００５２〕参照）、本願発明が目的とする遊技者の視線を図柄表示装置から遠ざけ、それにより当たり判別をより困難にするという上記効果（Ａ）（Ｂ）（Ｃ）とは明確に対立する。」
と主張している。
　しかしながら、請求人の主張する「図柄表示装置」が「当たり価値の異なる複数の種別をそれぞれ異なる組み合わせ態様で表示」する構成については、上記（２）（２−２）で検討したように、上記刊行物２（特開２００８−１４８７３１号公報、補正の却下の決定で引用された引用文献５）に記載された事項であり、請求人の主張する「図柄表示装置」を「遊技領域形成部材であるレールの外側に配置」することは、上記（４）アで検討したように、パチンコ機の技術分野における周知技術である。
　したがって、請求人の上記主張における引用文献１、３〜４については検討するまでもなく、上記（４）で検討したように、本願補正発明は刊行物１発明（刊行物１は請求人の上記主張における引用文献２に相当）に対して刊行物２に記載された技術的事項及び上記周知技術を適用することにより、当業者が容易に想到し得るものである。
　よって、請求人の主張を採用することはできない。
（６）まとめ
　したがって、本願補正発明は、特許法第２９条第２項の規定に基づいて特許出願の際独立して特許を受けることができない。
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正は、上記のとおり却下されることとなったので、本願の請求項１に係る発明は、平成２７年９月２５日付け手続補正書により補正された特許請求の範囲の請求項１に記載された事項により特定されるとおりのものであるところ、その請求項１に係る発明（以下、「本願発明」という。）は、上記「第２［理由］１．」に本件補正前の請求項１として記載したとおりのものである。
１．刊行物１
　原査定の拒絶理由に引用された本願の出願前に頒布された刊行物１の記載事項及び刊行物１発明の認定については、上記「第２［理由］３．（２）（２−１）」に記載したとおりである。
２．対比・判断
　本願発明は、上記「第２［理由］１．」で本件補正後の請求項１として記載した本願補正発明から、実質的な変更とならない特定事項を除き、「パチンコ遊技機」の「図柄表示装置」について、「遊技領域形成部材であるレールの外側に配置される」との限定及び「当たり価値の異なる複数の種別をそれぞれ異なる組み合わせ態様で表示可能な」ものとする限定を削除したものである。
　そうすると、本願発明と刊行物１発明の相違点は、上記「第２［理由］３．（３）」の（相違点１）及び（相違点２）の構成を削除したものであるから、本願発明と刊行物１発明との間に相違点はなく、一致するといえる。
　したがって、本願発明は、刊行物１に記載された発明である。
　仮に本願発明が刊行物１に記載された発明でないとしても、本願発明は刊行物１に記載された発明から、当業者が容易に発明をすることができたものである。
３．むすび
　以上のとおり、本願発明は、特許法第２９条第１項３号又は第２項の規定により特許を受けることができないものである。
　したがって、本願は拒絶すべきものである。